(57)【要約】      （修正有）【課題】綿等の天然繊維糸を弾性糸の芯糸にカバーリングし、この天然繊維糸をカバーリングしたカバーリングヤーンを裏糸として表糸とともに編組して靴下を編成した吸湿速乾靴下を提供する。【解決手段】綿等の天然繊維糸２を弾性糸の芯糸３にカバーリングし、この天然繊維糸２をカバーリングしたカバーリングヤーン４を裏糸として表糸とともに編組して靴下を編成する。１００％綿のコンパクトヤーンの天然繊維糸２を使用することが好ましい。【選択図】図１
0003172041.tif 000002
【実用新案登録請求の範囲】
【請求項１】
綿等の天然繊維糸を弾性糸の芯糸にカバーリングし、この天然繊維糸をカバーリングしたカバーリングヤーンを裏糸として表糸とともに編組して靴下を編成したことを特徴とする吸湿速乾靴下。
【請求項２】
１００％綿のコンパクトヤーンの天然繊維糸をポリウレタンの弾性糸の芯糸にカバーリングした請求項１に記載の吸湿速乾靴下。
【請求項３】
綿等の天然繊維糸を、綿１００〜０％と麻０〜１００％の混紡のものとした請求項１または２に記載の吸湿速乾靴下。
【請求項４】
表糸を綿等の天然繊維糸のものとした請求項１ないし３のいずれかに記載の吸湿速乾靴下。
【請求項５】
踵部以外を天然繊維糸をカバーリングしたカバーリングヤーンを裏糸として表糸とともに編組した請求項１ないし４のいずれかに記載の吸湿速乾靴下。
【考案の詳細な説明】
【技術分野】
【０００１】
本考案は、靴下に関し、特に吸湿速乾靴下に関するものである。
【背景技術】
【０００２】
近年、異型断面のポリエステル繊維糸で編組した吸湿性を有する靴下が提案され、市販されている。
【０００３】
しかし、これらは、従来の合成繊維糸のものと比べて吸湿性を有するものの、吸湿速乾の需要者の要望に応えられるものでない。
【考案の開示】
【考案が解決しようとする課題】
【０００４】
そのため、吸湿速乾の需要者の要望に応えられる靴下を開発することが課題であった。そこで、本出願人は、いろいろ試作した結果、天然繊維の綿を弾性糸の芯糸にカバーリングしたところ、極めて良好な吸湿速乾の特性が得られることを見出した。
【課題を解決するための手段】
【０００５】
本考案は、上記のような点に鑑みたもので、上記の課題を解決するために、綿等の天然繊維糸を弾性糸の芯糸にカバーリングし、この天然繊維糸をカバーリングしたカバーリングヤーンを裏糸として表糸とともに編組して靴下を編成したことを特徴とする吸湿速乾靴下を提供するにある。
【０００６】
また、１００％綿のコンパクトヤーンの天然繊維糸をポリウレタンの弾性糸の芯糸にカバーリングしたことを特徴とする吸湿速乾靴下を提供するにある。
【０００７】
さらに、綿等の天然繊維糸を、綿１００〜０％と麻０〜１００％の混紡のものとしたことを特徴とする吸湿速乾靴下を提供するにある。
【０００８】
またさらに、表糸を綿等の天然繊維糸のものとしたことを特徴とする吸湿速乾靴下を提供するにある。
【０００９】
さらにまた、踵部以外を天然繊維糸をカバーリングしたカバーリングヤーンを裏糸として表糸とともに編組したことを特徴とする吸湿速乾靴下を提供するにある。
【考案の効果】
【００１０】
本考案にあっては、請求項１のように、綿等の天然繊維糸を弾性糸の芯糸にカバーリングし、この天然繊維糸をカバーリングしたカバーリングヤーンを裏糸として表糸とともに編組して靴下を編成したことによって、綿等の天然繊維糸をカバーリングしたカバーリングヤーンが吸湿速乾の特性を有し、さらにこれを裏糸として足の肌に直接的に触れて汗等の水分を吸収でき、かつ表面積が広くできて乾燥も速くできる。
【００１１】
また、請求項２のように、１００％綿のコンパクトヤーンの天然繊維糸をポリウレタンの弾性糸の芯糸にカバーリングしたことによって、毛羽を糸の芯方向に撚り込むコンパクトヤーンの紡績で、洗濯を繰り返しても、上記特性を良好に維持でき、また靴下を脱いだ後のべとつき感がなくて良好に着脱できる。
【００１２】
さらに、請求項３のように、綿等の天然繊維糸を、綿１００〜０％と麻０〜１００％の混紡のものとしたことによって、さらに麻の天然繊維糸による吸湿速乾性が加味され、上記のように良好に着脱できる。
【００１３】
またさらに、請求項４のように、表糸を綿等の天然繊維糸のものとしたことによって、表糸も吸湿速乾性を有し、より一層良好な吸湿速乾状態の靴下を得ることができる。
【００１４】
さらにまた、請求項５のように、踵部以外を天然繊維糸をカバーリングしたカバーリングヤーンを裏糸として表糸とともに編組したことによって、発汗しにくい踵部以外では上記のように吸湿速乾性が得られ、発汗しにくい踵部には耐摩耗性のナイロン等の合成繊維糸を利用して耐久性をはかるようにできる。
【図面の簡単な説明】
【００１５】
【図１】本考案の一実施例の天然繊維糸を芯糸にカバーリング状態の説明図、
【図２】同上の一実施例の靴下の側面図、
【図３】同上の編組織の拡大図、
【図４】同上の他の編組織の拡大図、
【図５】同上の他実施例の編組織の拡大図。
【考案を実施するための形態】
【００１６】
本考案の吸湿速乾靴下は、綿等の天然繊維糸を弾性糸の芯糸にカバーリングし、この天然繊維糸をカバーリングしたカバーリングヤーンを裏糸として表糸とともに編組して靴下を編成したことを特徴としている。
【００１７】
吸湿速乾靴下１は、図１のように綿等の天然繊維糸２を弾性糸の芯糸３にカバーリングして所要の靴下を図２のように編成するようにしている。
【００１８】
上記天然繊維糸２としては、綿、麻等の吸湿、速乾性のある１０〜４０番手（２０／２〜８０／２）のものとでき、特にこれらのコンパクトヤーンを利用するのが好ましい。上記天然繊維糸を、綿１００〜０％と麻０〜１００％の混紡のものとすることもできる。また、芯糸３としてはモノフィラメントの２０〜１００デニールのポリウレタン糸を含む合成繊維の弾性糸を利用するのが好ましい。
【００１９】
そして、たとえば、図２のように吸湿速乾靴下１を編成するには、図１のように上記のようにして形成したカバーリングヤーン４を図３のように裏糸５とし、表糸６とともに丸編機等に給糸し、平編み、メッシュ編み、ゴム編みなどの所要の編組織として形成していくことができる。なお、所要の繊維糸２、芯糸３、表糸６を選別して、公知や周知の模様編みやカラフルな色模様の靴下とすることもできる。
【００２０】
また、図４のように表糸６と裏糸５にゴム糸９や所要の補助糸を併用し、平編み、メッシュ編み、ゴム編みなどの編組織として上記した靴下を編成することができる。ゴム編みは、履口部や土踏まず部に利用することが好ましい。
【００２１】
このように綿等の天然繊維糸２を弾性糸の芯糸３にカバーリングし、この天然繊維糸２をカバーリングしたカバーリングヤーン４を裏糸５として表糸６とともに編組して靴下を編成すると、綿等の天然繊維糸３をカバーリングしたカバーリングヤーン４が吸湿速乾の特性を有し、さらにこれを裏糸４として足の肌に直接的に触れて汗等の水分を吸収でき、かつ表面積が広くできて乾燥も速くできる。また、毛羽を糸の芯方向に撚り込むコンパクトヤーンの紡績で、洗濯を繰り返しても、上記特性を良好に維持でき、また靴下を脱いだ後のべとつき感がなくて良好に着脱できる。
【００２２】
特に、綿等の天然繊維糸を、綿１００〜０％と麻０〜１００％の混紡のものとしたことによって、さらに麻の天然繊維糸による吸湿速乾性が加味され、上記のように良好に着脱できる。
【００２３】
さらに、表糸６を上記したような綿１００〜０％、麻０〜１００％の綿麻混紡の天然繊維糸として、図５のように上記と同様にして靴下を編成することができ、表糸６を綿や麻、これらの混紡の天然繊維糸２とすることによって，さらに吸湿速乾性を高めるようにできる。
【００２４】
またさらに、表糸６を上記したように１００％綿のコンパクトヤーンとし、上記したように裏糸５とともに給糸して吸湿速乾靴下１を編成することもできる。このように表糸６を給糸することによって、洗濯を繰り返しても、上記特性を良好に維持でき、さらに吸湿速乾性を高めることができる。
【００２５】
なお、踵部以外を天然繊維糸２をカバーリングしたカバーリングヤーン４を裏糸５として表糸６とともに編組して、発汗しにくい踵部以外では上記のように吸湿速乾性が得られ、発汗しにくい踵部には耐摩耗性のナイロン等の合成繊維糸を利用して耐久性をはかるようにできる。
【００２６】
上記では、短い靴下について説明したが、レッグソックス、その他の靴下についても、同様に編成することができる。
【実施例】
【００２７】
図１〜図４は、本考案の一実施例を示すものである。吸湿速乾靴下１は、１００％綿のコンパクトヤーンの天然繊維糸２の６０／１のものを３０デニールのモノフィラメントのポリウレタン糸の弾性糸の芯糸３に図１のようにカバーリング（いわゆるＦＴＹ）し、このＦＴＹのカバーリングヤーン４によって吸湿速乾性を保有するように編成した。
【００２８】
すなわち、図３のように上記カバーリングヤーン４を裏糸５とし、綿アクリル混紡の４０／２の表糸６とともに所要の丸編機に給糸して、たとえば爪先から足首まで平編みの編組織として編成し、図２のように吸湿速乾靴下１を形成したものである。
【００２９】
また、図４のようにこの吸湿速乾靴下１の履口部に表糸６と裏糸５の間にゴム糸７を給糸して挿入し、適正な締め付け力に編成した。このように、編成して所要の縫製処理をした後、所要のヒートセット処理して製品化するものである。
【００３０】
その結果、綿の天然繊維糸２をカバーリングしたカバーリングヤーン４が吸湿速乾の特性を有し、さらにこれを裏糸５として足の肌に直接的に触れて汗等の水分を吸収でき、かつ表面積が広くできて乾燥も速くできる。また、１００％綿のコンパクトヤーンの天然繊維糸２をポリウレタンの弾性糸の芯糸３にカバーリングしたので、毛羽を糸の芯方向に撚り込むコンパクトヤーンの紡績で、洗濯を繰り返しても、上記特性を良好に維持でき、また靴下を脱いだ後のべとつき感がなくて良好に着脱できた。
【００３１】
また、表糸６を、図５のように上記したように１００％綿のコンパクトヤーンとして、表糸６を上記したように裏糸５とともに給糸して吸湿速乾靴下１を編成することもできる。このように表糸６を給糸することによって、洗濯を繰り返しても、上記特性を良好に維持でき、さらに吸湿速乾性を高めることができる。
【００３２】
上記では、靴下の編物について説明したが、足首を被覆するハイソックスやタイツについても、所要の繊維糸、芯糸、表糸を選別して同様に編成することができるものである。
【産業上の利用可能性】
【００３３】
本発明は、長短の靴下、足首を被覆するハイソックスやタイツに利用することができる。
【符号の説明】
【００３４】
１…吸湿速乾靴下      ２…繊維糸      ３…芯糸    ４…カバーリングヤーン
５…裏糸              ６…表糸        ７…ゴム糸
【先行技術文献】
【特許文献】
【００３５】
【特許文献１】特開平７−３３１５０５号公報
【図１】
0003172041.tif 000003
【図２】
0003172041.tif 000004
【図３】
0003172041.tif 000005
【図４】
0003172041.tif 000006
【図５】
0003172041.tif 000007